(57)【要約】【課題】入浴時に温風を吹き出す際に入浴者に寒さを感じさせることなく暖房を行うことができると共に、衣類乾燥時にランドリーパイプ等に掛けられた衣類等の乾燥ムラを解消することが可能な浴室空調装置を提供すること。【解決手段】この浴室空調装置１は、温風を浴室内に吹き出す吹出口に複数の羽根材からなるルーバー２４、２５を角度変更可能に取り付け、ルーバー２４、２５は、リモートコントローラ２０の選択ボタンの選択操作モードに応じて角度変更可能とされていることを特徴とする。【選択図】  図１
2010117127.tif 000002
【特許請求の範囲】
【請求項１】
温風を浴室内に吹き出す吹き出し口に、前記空気の吹き出し方向、吹き出し口の吹き出し開口面積の少なくとも何れかを変更可能にした吹出可変部を設け、リモートコントローラに設けられた選択ボタンの選択操作モードに応じて、前記吹出可変部を可動とするようにしたことを特徴とする浴室空調装置。
【請求項２】
請求項１に記載の浴室空調装置において、
前記吹出可変部は角度変更可能なルーバーからなり、該ルーバーは、リモートコントローラの選択ボタンの選択操作モードに応じて角度変更可能とされていることを特徴とする浴室空調装置。
【請求項３】
請求項１、請求項２の何れかの浴室空調装置において、
前記リモートコントローラの選択ボタンの選択操作モードが、入浴前の浴室内の空気を暖める予備暖房モードであるときに、浴室内の洗い場の床面まで温風を届かせるように前記吹出可変部を可動とするようにしたことを特徴とする浴室空調装置。
【請求項４】
請求項１乃至請求項３の何れかの浴室空調装置において、
前記リモートコントローラの選択ボタンの選択操作モードが、入浴中の浴室内の空気を暖める入浴暖房モードであるときに、浴室の洗い場以外の方向に温風を吹き出すよう前記吹出可変部を可動とするようにしたことを特徴とする浴室空調装置。
【請求項５】
請求項１乃至請求項４の何れかの浴室空調装置において、
前記リモートコントローラの選択ボタンの選択操作モードが、浴室内の衣類を乾燥する衣類乾燥モードであるときに、浴室内に掛けられた衣類に空気が送風されるように、前記前記吹出可変部が上下、左右のすくなくとも何れかにスウィングするようにしたことを特徴とする浴室空調装置。
【請求項６】
請求項１乃至請求項５の何れかの浴室空調装置において、
前記リモートコントローラの選択ボタンの選択操作モードが、浴室内に涼風を送風する涼風モードであるときに、浴室内の洗い場側に空気が送風されるように、前記吹出可変部を可動とするようにしたことを特徴とする浴室空調装置。
【発明の詳細な説明】
【技術分野】
【０００１】
本発明は、浴室内に送風する空気の方向制御機能及び風量制御機能を向上させた浴室空調装置に関する。
【背景技術】
【０００２】
従来の浴室空調装置としては、浴室内の空気を吸い込む空気導入室と、吸い込まれた空気を再び浴室に戻す循環風路と、浴室内から吸い込んだ空気を建物の外側に排出する排気風路とを備えたものが知られている（例えば、特許文献１参照。）。循環風路には暖房用のヒーターが設置されており、吸い込んだ空気を暖めて浴室内に送風できるようになっている。
【０００３】
この循環風路と排気風路とは、空気を循環風路と排気風路に分配するためのダンパー格納室に接続され、このダンパー格納室が空気導入室の空気吹出口に接続されている。ダンパー格納室には、空気の流路を切り換えるダンパーが設けられており、浴室の壁若しくは脱衣所の壁などに設けられたリモートコントローラのボタンの選択操作によって、ダンパーの角度を切り換えて浴室の空気を排気したり、循環したり選択できるようになっている。
【０００４】
最近では、浴室の向かい合う縦壁にランドリーパイプを架設し、ランドリーパイプにハンガー等を掛けて衣類の乾燥を行う衣類乾燥機能や、浴室空調装置で浴室中の暖房を行う際に入浴暖房機能や、入浴前に浴室を暖める予備暖房機能、或いは入浴時に涼風を送風する涼風機能等を備えたものがあり、これらの機能は、ダンパーの角度変更やヒーターのオンオフ制御と組み合わせて実行されるようになっている。
【０００５】
従って、浴室空調装置のリモートコントローラは、浴室の空気を戸外に排気する換気ボタンと、浴室の空気を浴室に戻す涼風ボタンと、浴室の空気を浴室に戻す際にヒーターで暖めて戻す入浴暖房ボタンと、予備暖房ボタンと、衣類乾燥ボタン等の各種機能を実行するボタンを備えており、リモートコントローラのボタン選択に基づいて浴室空調装置のモーターの回転及びダンパーの角度設定並びにヒーターの通電が制御されるようになっている。
【先行技術文献】
【特許文献】
【０００６】
【特許文献１】特開２００３−２９４２８９号公報
【発明の概要】
【発明が解決しようとする課題】
【０００７】
ところで、この浴室空調装置において暖房運転時は浴室の洗い場側に温風を吹き出して洗い場を暖めたいが、入浴暖房時に洗い場側に温風を吹き出すと、入浴をしている人の体に風が当たってしまい、入浴者が寒さを感じてしまうという問題がある。また、衣類乾燥時においては、循環して浴室内に送風される空気がランドリーパイプの特定の位置に掛けられた衣類にしか温風が当たらないために、全体の乾燥にムラが生じるという問題があった。
【課題を解決するための手段】
【０００８】
上記課題を解決するために、本願の請求項１の浴室空調装置は、温風を浴室内に吹き出す吹き出し口に、前記空気の吹き出し方向、吹き出し口の吹き出し開口面積の少なくとも何れかを変更可能にした吹出可変部を設け、リモートコントローラに設けられた選択ボタンの選択操作モードに応じて、前記可変部を可動とするようにしたことを特徴とする。
【０００９】
また、本願の請求項２の浴室空調装置は、請求項１に記載の浴室空調装置において、
前記吹出可変部は角度変更可能なルーバーからなり、該ルーバーは、リモートコントローラの選択ボタンの選択操作モードに応じて角度変更可能とされていることを特徴とする。
【００１０】
本願の請求項３の浴室空調装置は、請求項１、請求項２の何れかの浴室空調装置において、
前記リモートコントローラの選択ボタンの選択操作モードが、入浴前の浴室内の空気を暖める予備暖房モードであるときに、浴室内の洗い場の床面まで温風を届かせるように前記吹出可変部を可動とするようにしたことを特徴とする。
【００１１】
本願の請求項４の浴室空調装置は、請求項１乃至請求項３の何れかの浴室空調装置において、前記リモートコントローラの選択ボタンの選択操作モードが、入浴中の浴室内の空気を暖める入浴暖房モードであるときに、浴室の洗い場以外の方向に温風を吹き出すよう前記吹出可変部を可動とするようにしたことを特徴とする。
【００１２】
本願の請求項５の浴室空調装置は、請求項１乃至請求項４の何れかの浴室空調装置において、前記リモートコントローラの選択ボタンの選択操作モードが、浴室内の衣類を乾燥する衣類乾燥モードであるときに、浴室内に掛けられた衣類に空気が送風されるように、前記吹出可変部が上下、左右のすくなくとも何れかにスウィングするようにしたことを特徴とする。
【００１３】
本願の請求項６の浴室空調装置は、請求項１乃至請求項５の何れかの浴室空調装置において、前記リモートコントローラの選択ボタンの選択操作モードが、浴室内に涼風を送風する涼風モードであるときに、浴室内の洗い場側に空気が送風されるように、前記吹出可変部を可動とするようにしたことを特徴とする。
【発明の効果】
【００１４】
本願の請求項１の浴室空調装置によれば、吹出可変部を設け、リモートコントローラに設けられた選択ボタンの選択操作モードに応じて、吹出可変部を可動とするので、入浴前の暖房、入浴中の暖房、或いは、乾燥や涼風或いは２４時間換気等の各種選択モードに応じて、吹出可変部を可動とすることで、モードに応じた風や空気を送ることが出来る。
【００１５】
本願の請求項２の浴室空調装置によれば、温風を浴室内に吹き出す吹出口に複数の羽根材からなるルーバーを角度変更可能に取り付け、ルーバーはリモートコントローラの選択ボタンの選択操作モードに応じて角度変更可能とされているので、入浴前の暖房、入浴中の暖房、或いは、乾燥や涼風或いは２４時間換気等の各種選択モードに応じて、ルーバーを可動とすることで、モードに応じた風や空気を送ることが出来る。
【００１６】
本願の請求項３の浴室空調装置によれば、選択ボタンの選択操作モードが、入浴前の浴室内の空気を暖める予備暖房モードであるときに、浴室内の洗い場の床面まで温風を届かせるように前記吹出可変部を可動としたので、浴室内全体を速やかに暖めることができ、入浴の際に寒さを感じさせない。
【００１７】
本願の請求項４の浴室空調装置によれば、選択操作モードが入浴中の浴室内の空気を暖める入浴暖房モードであるときに、浴室の洗い場以外の方向に温風を吹き出すよう前記吹出可変部を可動としたので、入浴者に直接風を当てることがなく、入浴者に寒さを感じさせない。
【００１８】
本願の請求項５の浴室空調装置によれば、リモートコントローラの選択ボタンの選択操作モードが、浴室内の衣類を乾燥する衣類乾燥モードであるときに、浴室内に掛けられた衣類に空気が送風されるように、前記吹出可変部が上下、左右のすくなくとも何れかにスウィングするので、一部の衣類のみが乾燥して他の衣類が乾かない等の不具合が解消され、ムラのない衣類乾燥を速やかに行うことができる。
【００１９】
本願の請求項６の浴室空調装置によれば、リモートコントローラの選択ボタンの選択操作モードが、浴室内に涼風を送風する涼風モードであるときに、浴室内の洗い場側に空気が送風されるように、前記吹出可変部を可動とするので、例えば入浴後等の入浴者に涼風を送ることにより、入浴者は爽快感を得ることが出来る。
【図面の簡単な説明】
【００２０】
【図１】（ａ）は本願の実施の形態にかかる浴室空調装置の構成を示す断面図、（ｂ）は先端部の狭められたルーバーの断面図、（ｃ）は先端部の広げられたルーバーの断面図。(ｄ)は各モードにおけるルーバーの向きを示した説明図。
【図２】図１のルーバーの支持機構の他の例を示す斜視図。
【図３】図２のルーバーの揺動機構の例を示す機構図。
【図４】図１の浴室空調装置の制御装置のブロック図。
【図５】（ａ）は図１の浴室空調装置のオート運転時の照明スイッチのＯＮから２４時間換気の復帰までの処理の流れを示す流れ図、（ｂ）は乾燥処理時の流れを示す流れ図。
【図６】図６はより簡易的なオート運転時の処理を示す流れ図。
【図７】図７は入浴暖房の際の温度制御の流れを示す流れ図。
【図８】図８は換気装置の吸込口や吹出口の空気の温度を計測して所定の温度になるように制御し、入浴後に時間経過に基づいて自動的に浴室乾燥を行う際の流れ図。
【図９】浴室天井に浴室空調装置を設置した状態を示す図。
【図１０】浴室の循環ユニットと換気ユニットを備えた浴室空調装置の断面図。
【図１１】図１０の浴室空調装置の平面配備状態を示す説明図。
【図１２】図１０の浴室空調装置の斜視図。
【発明を実施するための形態】
【００２１】
本発明は、上記した問題に着目してなされたものであり、主に、入浴時に温風を吹き出す際に入浴者に寒さを感じさせることなく暖房を行うことができると共に、衣類乾燥時にランドリーパイプ等に掛けられた衣類等の乾燥ムラを解消することが可能な浴室空調装置を提供することを目的とする。
以下、本発明の実施の形態にかかる浴室空調装置を図面に基づいて説明する。
【実施例】
【００２２】
図１はこの浴室空調装置１を浴室天井Ｒｆに設置した状態を示す。浴室天井Ｒｆの開口部Ｒｏには浴室空調装置１が設置されている。浴室空調装置１の筐体２には取付枠３がネジ止めによって固定されており、取付枠３はアンカーボルト４によって建物の天井壁部に懸垂して支持されている。筐体２の側壁部には排気口１６が開口されており、この排気口１６にダクトジョイント５が臨んで開口している。尚、ダクトジョイント５は、予め取付枠３に支持されており、取付枠３の内部に筐体２が挿入されて筐体２と取付枠３とがネジ止め固定されるときに、ダクトジョイント５は浴室空調装置１の筐体２の側壁部にシールされて接触しており、ダクトジョイント５は排気口１６に連通している。ダクトジョイント５にはダクトＤの一端部が固定されており、ダクトＤの他端部は建物の外側に通じる開口部に接続されている。
【００２３】
筐体２には、浴室Ｂｒの室内に連通する吸込口７と、筐体２内部に吸い込んだ空気を再度浴室に吐出する吹出口８とを備えており、吸込口７の内部に空気導入室９が形成されている。空気導入室９にはファンケース１０が設置されており、ファンケース１０の空気吸込口１１は吸込口７に面している。ファンケース１０の内部には遠心ファンからなる吸引ファン１２が配設され、吸引ファン１２はファンモーター１３の回転軸に固定されている。
【００２４】
ファンケース１０の側面には吸い込んだ空気を吐出する吹出口１４が形成されており、この吹出口１４は、ダンパー格納室１５に臨んで開口している。ダンパー格納室１５の側壁には前述の排気口１６が形成され、ダンパー格納室１５の底部には、前述の吹出口８が形成されている。ダンパー格納室１５の排気口１６側の風路は排気風路とされており、ダンパー格納室１５の吹出口８側の風路は循環風路とされている。排気風路と循環風路とを切り換える風路切換手段としてダンパー１７が配備されている。
【００２５】
ダンパー１７の一端部には回転軸１８が設置されている。この回転軸１８は、図示しないカム機構及び減速機構を介して、ダンパー角度を制御するＡＣモーター（図示省略）にリンクしている。また、排気風路となる吹出口８には空気を暖める手段としてのヒーター１９が設置されている。ヒーター１９は、一例としてＰＴＣヒーターが設けられている。このヒーター１９は、セラミックヒーターやシーズヒーター等の何れか若しくは両方でも良い。
【００２６】
浴室空調装置１には、ファンモーター１３のオンオフ、ヒーター１９のオンオフ、ダンパー１７を回動させる前記ＡＣモーターの角度調節（大・中・小）を制御する制御装置Ｃが設けられている。制御装置Ｃは、浴室の空気の排気（ダンパー１７の位置をＡの位置にして、循環風路の閉鎖と排気風路の開放を行う）、浴室の空気の循環（ダンパー１７の位置をＣの位置にして、排気風路の閉鎖と循環風路の開放を行う）、浴室の空気の循環・換気（ダンパー１７をＢの位置にして、排気風路と循環風路の双方の一部を開放する）循環空気の加温の有無を制御するマイクロプロセッサ及びその周辺回路を備えている。
【００２７】
浴室空調装置１の制御装置Ｃは、浴室の壁面若しくは脱衣所の壁面等に設けられたリモートコントローラ２０に接続されており、リモートコントローラ２０は浴室空調装置１の動作モードを選択・決定するための各種の動作モード選択ボタンＢ及び液晶表示部ＬＣＤ等を備えている。
【００２８】
浴室空調装置１の吹出口８の下側には、フロントパネル２１がネジ止めされて固定されている。フロントパネル２１の吸込口７に対向する部位には、吸込口２２が形成され、フロントパネル２１の吹出口８に対向する部位には、吹出口２３が形成されている。吹出口２３には、複数の羽根材からなるルーバー２４、２５の回転軸２４Ａ、２５Ａが、図示しない軸受部に角度変更可能に取り付けられると共に、各ルーバー２４、２５の上端部にはリンク２６、２７が回動可能に枢着されている。フロントパネル２１の吹出口２３の開口縁部には、ステッピングモーター２８、２９が設置されており、ステッピングモーター２８、２９の回転軸にはリンク３０、３１が固定されている。リンク３０、３１には前記リンク２６、２７が連結されており、ステッピングモーター２８、２９の回転角度調整によって、ルーバー２４、２５の角度制御が行われるようになっている。
【００２９】
リモートコントローラ２０にはメインスイッチの他に、各種の機能を実行するための選択ボタンＢが設けられており、この選択ボタンＢには、予備暖房、入浴暖房、衣類乾燥、浴室乾燥、涼風、換気、タイマー「入」「切」その他のボタンが設けられている。リモートコントローラ２０の選択ボタンＢの選択操作は、制御装置Ｃに送信されて、制御装置Ｃは送信された選択モードに基づいて浴室空調装置１を制御する。衣類乾燥モードは衣類を乾燥する為のモードであり、浴室乾燥とは、浴室の天井面や、側壁面、床面等に付着した水滴等を除去する為の壁面を乾燥するモードをいう。
【００３０】
すなわち、吹出口８から吹き出される温風或いは涼風を浴室Ｂｒ内に吹き出す際に、制御装置Ｃがステッピングモーター２８、２９の回動角度を制御することによって、空気の吹き出し方向が狭い角度内に狭められたり、空気の吹き出し方向が広い角度内に広げられたり、或いは、一定の方向に向けてスウィングすることが出来るようになっている。
【００３１】
このように、この浴室空調装置１は、ルーバー２４、２５を角度変更可能に取り付け、ルーバー２４、２５は、リモートコントローラ２０の選択ボタンＢの選択操作モードに応じて角度変更可能とされているので、入浴時に温風を吹き出す際に入浴者に寒さを感じさせることなく暖房を行うことができると共に、衣類乾燥時にランドリーパイプＬＰ（図９参照）等に掛けられた衣類等の乾燥ムラを解消することが可能な浴室空調装置を提供することができる。
【００３２】
リモートコントローラ２０の選択ボタンＢの選択操作モードが、入浴前の浴室内の空気を暖める予備暖房モードであるときに、ファンモーター１３がＯＮされ、ダンパー１７が循環風路側を開け、ヒーター１９が通電され、図１（ａ）に示すように複数のルーバー２４、２５同士が空気吹き出す方向に対して狭くなるように逆「ハ」の字形に傾斜する。
【００３３】
これによって、ヒータにて暖めた空気を、風速を上げて、天井側から洗い場の床面側の遠い位置まで送ることができ、浴室全体の空気を広範囲で攪拌してむら無く、速く暖めることができる。
【００３４】
ルーバー２４、２５の空気の吹き出し方向が狭い角度内に狭められるとは、空気の吹き出し方向に向かってルーバー２４、２５の先端部同士が接近し合って、空気の吹き出す角度が狭くなることである。これによって、空気を吹き出す圧力が増大して吹出口８から遠い位置まで空気が届くこととなる。特に、温風を送り出すときには暖かい空気を天井から床面近傍まで吹き出すことができ、浴室内の広い範囲で空気の攪拌がなされるために、予備暖房によって浴室内の空気を短時間で暖めることができる。
【００３５】
また、リモートコントローラ２０の選択ボタンＢの選択操作モードが、入浴中の浴室内の空気を暖める入浴暖房モードであると、ファンモーター１３がＯＮされ、ダンパー１７が循環風路側を開け、ヒーター１９が通電され、図１（Ｃ）に示すように複数のルーバー２４、２５同士が空気吹き出す方向に対して広くなるように、略「ハ」の字形に傾斜するので、ヒーターで暖められた空気が入浴者に直接当たらないように分散されて吹出口から吹き出され、入浴者が寒さを感じることが防止される。
【００３６】
ルーバー２４、２５が略「ハ」の字形に傾いて空気の吹き出し方向が広い角度内に広げられるとは、空気の吹き出し方向に向かってルーバー２４、２５の先端部同士が離れ合って、空気の吹き出す角度が広がることであり、これによって、空気を吹き出す方向が分散して吹出口８の中心方向から離れた浴室の壁面に沿って空気が送られることとなる。特に、身体の洗浄中などの濡れた身体に空気を吹き付けると、暖められた空気であっても、水分の気化熱で身体が冷やされるため、入浴者が寒さを覚えやすい。
【００３７】
このような場合に、ヒーターで暖めた空気を浴室に循環する場合であっても、ルーバー２４、２５の吹き出し範囲を広範囲に分散させることによって、入浴している人に寒さを感じさせないで、浴室内の空気を暖めることができると共に、広範囲に空気を送風するので、浴室の広範囲に暖かい空気を送り出すことができ短時間で空気を暖めることができる。
【００３８】
尚、入浴暖房モードにおいては、ルーバー２４，２５を浴槽側のみにしても良い。入浴暖房モードでは、入浴者に直接空気が当たらないようになっておれば、洗い場（Ｂｂ）の方向に温風が吹き出されるようになっていてもよい。
【００３９】
さらに、リモートコントローラ２０の選択ボタンＢの選択操作モードが、浴室内の衣類を乾燥する衣類乾燥モードであるときには、ファンモーター１３がＯＮされ、ヒーター１９が通電され、ダンパー１７が循環風路側を開けて、ダンパー１７がＢの位置となり、浴室内において空気を循環させながら、一部の空気を排気口１６より屋外へ排気するようにして、浴室内に掛けられた衣類の上下、左右の少なくとも何れかに空気が送風されるように、前記複数のルーバー２４、２５同士の空気吹き出す方向が上下、左右の少なくともいずれかにスウィングする。
【００４０】
これによって、浴室内に掛けられた衣類の全体に空気が吹き付けられることとなり、衣類の乾燥ムラがなくなる。
【００４１】
ルーバー２４、２５の空気の吹き出し方向がスウィングするとは、例えば、ルーバー２４、２５が空気を吹き出す所定の角度を中心として所定角度（例えば±１０度）の範囲内において、吹き出し方向を揺動することであり、一定の吹き出し角度を中心として所定の範囲で空気を吹き出す方向を揺動させることである。これは、浴室の対向する壁面にランドリーパイプＬＰ（物干し竿）を架設し、このランドリーパイプにハンガー等を懸け、ハンガーに衣類を懸けて衣類乾燥を行うときに、一定の決まった方向にしか乾燥風が送風されないと、決まった位置の衣類しか乾燥できず、場合によっては一つの衣類の一部だけ乾燥されるといった不都合が生じるからである。乾燥空気を衣類に向かって送り出すときに、ルーバー２４、２５をスウィングすることによって広い範囲に乾燥した空気を送り出すことが出来、衣類の乾燥ムラが解消されることとなる。
【００４２】
また、リモートコントローラ２０の選択ボタンＢの選択操作モードが、浴室内に涼風を送風する涼風モードであると、ファンモーター１３がＯＮされ、ダンパー１７が図１（ａ）に記載のＢの位置となり、循環風路側を開け、ヒーター１９が通電遮断されてＯＦＦとなり、浴室内の洗い場側に空気が送風されるように、複数のルーバー２４、２５同士の空気吹き出す方向が向けられる。
【００４３】
これによって、入浴者に涼しい風が送られ、夏期などの入浴には爽快な入浴が出来ることとなる。浴室空調装置のリモートコントローラ２０は、浴室の空気を戸外に排気する換気ボタンと、浴室の空気を浴室に戻す涼風ボタンと、浴室の空気を浴室に戻す際にヒーターで暖めて戻す入浴暖房ボタンと、予備暖房ボタンと、衣類乾燥ボタン等の各種機能を実行するボタンを備えており、リモートコントローラ２０のボタン選択に基づいて浴室空調装置のモーターの回転及びダンパーの角度設定並びにヒーターの通電が制御されるようになっている。
【００４４】
図２、図３はフロントパネル２１におけるルーバー２４、２５の揺動角度を調整するための他の構成例を示す。この機構においてフロントパネル２１の吹出口２３の内側には、枠部４０が組み付けられており、この枠部４０の相対する縦壁部４１Ａ、４１Ｂの間に、ルーバー４２Ａ、４２Ｂ、４３Ａ、４３Ｂが配設され、ルーバー４２Ａ、４２Ｂ、４３Ａ、４３Ｂの両端部に突設された回転軸４４Ａ（図３参照）が縦壁部４１Ａ、４１Ｂに軸止されている。一方の縦壁部４１Ａには、ルーバー４２Ａ、４２Ｂ、４３Ａ、４３Ｂの端部に突設された回転軸４４Ａが、回転自在に貫通している。
【００４５】
ルーバー４２Ａ、４２Ｂ、４３Ａ、４３Ｂの回転軸４４Ａには、リンク４８、４９がそれぞれ固定されている。リンク４８同士はリンク４９によって結合しており、それぞれ回転軸４４Ａの回転角度によってリンク４８同士は平行に向けられる。
【００４６】
枠部４０の中央部側の回転軸４４Ａには、ピニオンギア４５Ａ、４５Ｂが装着されて固定されている。このピニオンギア４５Ａ、４５Ｂには、ラックギア４６が噛み合っており、ラックギア４６に駆動用のピニオンギア４７が噛み合っている。
【００４７】
駆動用のピニオンギア４７は図示しないステッピングモーターの回転軸に固定されている。ピニオンギア４７が取り付けられたステッピングモーターは枠部４０の縦壁部４１Ｃの内側などに設置され、図示しないコネクタ及びリード線を介して浴室空調装置１の制御装置Ｃに接続され、制御装置Ｃのマイクロプロセッサの制御に基づいて駆動される。
【００４８】
吹出口２８から空気を絞って風速を速くして送風したり、空気を拡散して送風したりするために、ピニオンギア４７を駆動するステッピングモーターが、所定の回転数で正転し、又は、逆転して停止し、ルーバー４２Ａ、４２Ｂ、４３Ａ、４３Ｂを傾斜させる。
【００４９】
また、吹出口２８から空気を絞って送風したり、空気を拡散して送風することを反復継続して、浴室内において集中的送風と拡散的送風を繰り返し、浴室全体の空気の加温や乾燥を早めたり、或いは涼風に変化を与えるためには、ピニオンギア４７を駆動するステッピングモーターが、所定の回転数で正転及び逆転を反復して、ルーバー４２Ａ、４２Ｂ、４３Ａ、４３Ｂを揺動させる。
【００５０】
さらに、ルーバー４２Ａ、４２Ｂ、４３Ａ、４３Ｂと回転軸４４Ａ、４４Ｂの取付角度を調整すれば、枠部４０の真下方向から一定の傾斜角度の方向に対して、所定範囲でルーバー４２Ａ、４２Ｂ、４３Ａ、４３Ｂをスウィングさせることも可能である。
【００５１】
尚、リンク４８，４９をルーバー４２Ａ、４２Ｂ、４３Ａ、４３Ｂで兼用するような構造としてもよく、ルーバー４２Ａ、４２Ｂ、４３Ａ、４３Ｂと別部材として構成してもよい。
【００５２】
図４は、浴室空調装置１の制御装置Ｃのブロック図である。制御装置Ｃは、既に述べたように、マイクロプロセッサ（ＣＰＵ）５０を備えており、マイクロプロセッサ５０に、浴室照明のＯＮ／ＯＦＦを検出するための電流センサ５１と、空気吸込口１１等に設けられたサーミスタからなる温度センサ５２と、湿度センサ５３と、浴室に人が入ってきたかどうかを検出する人体センサとしての焦電センサ５４と、リモートコントローラ２０と、ヒーター１９と、ファンモーター１３と、ダンパー駆動用のモーター５５と、ルーバー２４Ａ、２５Ａの駆動用のモーター５６とが接続されている。入浴者を検知するための人体センサとしては、焦電センサ５４などの人感センサの他にも、浴室照明の検知であっても良い。
【００５３】
図５（ａ）は、浴室空調装置１におけるオート運転の流れを示す。先ず、浴室空調装置１のメインスイッチオンにより、開始する（ステップ１）。この浴室空調装置１は、２４時間換気機能を備えており、浴室空調装置１には、この２４時間換気運転のためのスイッチとして専用のスイッチが設けられている。この２４時間換気スイッチ（Ｂ７）は通常は選択されている為、図５（ａ）のオート運転制御では既に選択されているものとする。
【００５４】
尚、２４時間換気とは、常時換気を行う機能であり、浴室内の換気を常時行うことに加え、近年問題となっているホルムアルデヒドやＶＯＣなどが入った有害物質の除去の為、住宅全体の換気を行うものである。この浴室空調装置１は、常時換気を行う換気装置であり、住宅の換気対象エリアの所定換気回数（例えば０．５回／時間）を満たすよう行うものや、または、他の常時換気装置（図示せず）がある場合に、この浴室空調装置１は前記換気回数を満たす為の不足分を補うような構成になっていてもよい。
【００５５】
各室内の空気は、ドアのアンダーカット部を通して、浴室ドアのガラリ部Ｄｏを通して、浴室空調装置の吸込口７を介して、ファンケースの吸い込み口である空気吸込口１１よりより吸い込まれて排気口１６より常時排出されている。
【００５６】
そして、オートモードボタンＢ１がＯＮである時は、入浴暖房か予備暖房かを問わず暖房を行うかどうかを判定する（ステップ２）。オートモードボタンＢ１がＯＦＦであれば、そのまま２４時間換気運転を行う。暖房を行うのであれば、浴室の照明が点灯しているかどうかについて、浴室の照明に電流が流れていることを検出する電流センサ５１のＯＮ／ＯＦＦを判定する（ステップ３）。電流センサ５１がＯＦＦのままであれば、ＯＮになるまで待機する。
【００５７】
電流センサ５１がＯＮになれば、ヒーター１９に通電すると共にルーバー２４、２５の先端部を狭めて床面まで暖かい空気を送風し、予備暖房をスタートすると共に、浴室内の２４時間換気の停止若しくは風量低下を行うために、ダンパー１７により排気口５側の送風断面積を小さくするように、ダンパーモーター５５を制御する（ステップ４）。
【００５８】
尚、この浴室空調装置１では、浴室照明の点灯時に２４時間換気の停止若しくは風量低減を行ったが、後述する他の実施例に記載のように、浴室内の空気を排気するための換気専用の換気ファンと、吸い込んだ空気を浴室内に循環させる循環ファンとを備えた浴室空調装置の場合には、脱衣所やトイレ等の他室に設置された換気装置からダクトＤ２，Ｄ３を介して浴室の空気を吸い込めるようになっていれば、浴室内においては換気停止又は風量低減が行われるものの、住宅全体の換気に関しては、２４時間換気の停止または風量低減を行わなくてもよい。
【００５９】
図５（ａ）の流れ図において、次に、浴室内に入浴者が入って焦電センサ５４がＯＮになったら（ステップ５）、予備暖房を停止すると共に、入浴暖房を開始する（ステップ６）。焦電センサ５４がＯＮにならなかったら、入浴者を感知するまで待機する。ここで、所定時間までに入浴者が浴室に入らなかったら、後述するステップ７の前に移動するように処理してもよい。
【００６０】
ステップ６にて入浴暖房を開始する場合には、ヒーター１９に通電すると共にルーバー２４、２５の先端部を広げて直接入浴者に風が当たらず、浴室全体の壁面に沿って暖かい風が送られるように、入浴暖房をスタートする。入浴中は入浴暖房を維持するが、その他の制御が入っても良い。入浴が終わって浴室の照明がＯＦＦになったら（ステップ７）、入浴暖房を停止し、浴室の２４時間換気の再開若しくは復旧運転を行う（ステップ８）。
【００６１】
ステップ８の後で、湿度センサ５３の湿度検出を行って（ステップ９）、湿度が所定値（例えば６０％）以上であったら、ステップ１０に移行して、ヒーター１９に通電すると共にルーバー２４、２５をスウィング若しくは開閉して温風を送風し、乾燥をスタートすると共に、ダンパーモーター５５を制御し、ダンパー１７をＢの位置にして、浴室内へ空気を循環させながら、一部の空気を排出するような循環換気を行う浴室乾燥を開始する（ステップ１０）。浴室乾燥モードは、衣類乾燥モードとは異なり、ヒータを通電せずに空気を送風するようにしてもよい。
【００６２】
そして、再度湿度センサ５３で浴室内の湿度を判定し（ステップ１１）、所定値（例えば６０％）以下になったら、浴室乾燥を停止し（ステップ１２）、オートモードを停止する（ステップ１２）。ステップ８で２４時間換気運転に戻っているので、オートモード停止後は再度２４時間換気運転が続行される。
【００６３】
尚、図５（ｂ）に示すように浴室の乾燥処理を単独に行うことも可能である。この場合には、浴室空調装置１の制御装置Ｃは、衣類乾燥や浴室乾燥を行う乾燥モードのボタンＢ５を単独で押した場合には、メインスイッチＯＮによるスタート後、湿度センサ５３による湿度検出を行って、浴室内の乾燥レベルを判定し、乾燥レベルが所定値以上であれば、ヒーター１９を通電し、ダンパー１７で排気口１６を塞ぎ若しくは狭め、ルーバー２４、２５をスウィング若しくは開閉して浴室内を乾燥させる。この乾燥処理後再度乾燥レベルが所定値以上であれば、乾燥処理を続行し、所定値以下に下がったら、乾燥処理を終了させて２４時間換気の再開を行う。
【００６４】
上記の実施の形態では、オートモード下のステップ２で暖房（予備暖房、入浴暖房のいずれでも良い）を行うかどうかの判定を入れ、暖房を行わない場合（例えば、夏期の入浴などの場合）に、自動乾燥を行わせるために、ステップ９の前に移行するようにしたが、ステップ２及びステップ９は省いても自動運転は成り立ち、浴室の自動乾燥を行える利点がある。
【００６５】
図６乃至図８は、浴室空調装置１の他の省エネ型運転の流れ図を示したものである。図６の浴室空調装置１の制御装置Ｃは、湿度センサ５３や焦電センサ５４を備えないタイプのものである。
【００６６】
メインスイッチがＯＮになり、２４時間換気ボタンＢ７が選択されると、２４時間換気運転が開始し（ステップ１）、オートモードボタンＢ１の選択を判定する（ステップ２）。オートモードボタンＢ１がＯＮでれば、オート運転モードとなり、オートモードボタンＢ１がＯＦＦでれば、オートモードボタンＢ１がＯＮとなるまで待機する。
【００６７】
オート運転モード下においては照明スイッチのＯＮ／ＯＦＦを判別する（ステップ３）。ステップ３において、照明スイッチがＯＮし、電流センサ５１がＯＮになったら、浴室の２４時間換気の停止若しくは風量低下を行い、所定時間（１乃至５分程度の数分間）予備暖房を行った後、入浴暖房に移行する（ステップ５）。この予備暖房モードは温度センサ５２により温度を検出してヒータ１９の温度制御を行い、温風の温度を所定温度または所定温度範囲内（例えば所定温度に対して±５%以内）に保持内になるよう制御する。
【００６８】
入浴暖房下では、ヒーター１９の温度制御を行いヒーター１９が所定温度を保持するように制御する（ステップ６）。ステップ６の後は照明スイッチのＯＮ／ＯＦＦ判別を行う（ステップ７）。入浴後に照明スイッチがＯＦＦとされ、電流センサ５１がＯＦＦとなったら、ステップ８に移行して２４時間換気の再開若しくは復旧運転を行うと共に、浴室乾燥を行う（ステップ８）。浴室乾燥が終了したら（ステップ１０）、オート運転待機状態に戻る。この浴室乾燥は、図５のステップ９乃至ステップ１２と同様であるので、その説明を援用する。
【００６９】
図７は、入浴暖房のサブルーチンの処理の流れを示したものである。この入浴暖房サブルーチンでは、サブルーチンのスタート後は、入浴中の温度が設定温度以上かどうかを判別し（ステップＳＢ１）、設定温度以下（例えば５０°ｃ）であれば、設定温度になるまでヒーター１９を加熱し、設定温度（例えば５０°ｃ）になったら、ヒーター１９を停止する（ステップＳＢ２）。ステップＳＢ２の後は入浴中の温度が設定温度以下（例えば４０°ｃ以下）かどうかを判別し（ステップＳＢ３）、設定温度以下であれば、再度入浴暖房を再開する（ステップＳＢ４）。
【００７０】
図７は、浴室への吹出口１８から吹き出される空気或いは吸込口７から吸い込まれる浴室の空気の温度をチェックして、暖房の必要性を判定し、設定温度以下の場合には暖房を自動的に行い、設定温度以上の場合には暖房を行わない自動運転を示すものである。
【００７１】
図８は、オートモードスイッチが押された場合に、予備暖房モードがスタートし、浴室照明スイッチがＯＮになると入浴暖房へ移行するようになっている。先ず、２４時間換気運転がスタートしたら、オートモードにあるかどうかの判定を行い（ステップＳＣ１）、オートモードであった場合には、オート運転を開始し、２４時間換気の停止若しくは換気量の低減を行って、予備暖房モードが開始される。（ステップＳＣ２）。オート運転開始後は、電流センサ５１により照明スイッチのＯＮ／ＯＦＦを監視し（ステップＳＣ３）、照明スイッチがＯＮになったら、入浴暖房を行う（ステップＳＣ４）。この入浴暖房（ステップＳＣ５）は図７により入浴暖房のフィードバック制御について説明したものでも良いし、浴室内へ送風する総風量またはヒータの発熱量を弱めるようになっている。その際にルーバー２４，２５を洗い場側でない方向（例えば、浴槽側）に向けることが好ましい。入浴暖房下において、照明スイッチのＯＮ／ＯＦＦを監視しており（ステップＳＣ６）、照明スイッチがＯＦＦとなれば、入浴が完了したと判断し、浴室の２４時間換気の再開若しくは換気量の増大を行って浴室乾燥を行う（ステップＳＣ７）。この浴室乾燥は、時間の経過により乾燥処理終了を判定するものであり、浴室乾燥の開始と共に、乾燥処理時間を設定時間と比較判定する（ステップＳＣ８）。乾燥処理時間が設定時間に到達したら、浴室乾燥を停止して（ステップＳＣ９）終了する。
【００７２】
このように、この浴室空調装置１では、ルーバー２４、２５の吹き出し方向の先端部を狭めたり（予備暖房時）、ルーバー２４、２５の吹き出し方向の先端部を広げたり（入浴暖房時）、ルーバー２４、２５を所定の吹き出し方向を中心として所定角度内でスウィングさせたりすることによって、入浴前の浴室の暖房を行ったり（予備暖房）、入浴時の浴室の暖房（入浴暖房）を行うことができる。その際、予備暖房では吹出口８から吹き出す温風を洗い場の床面まで送風でき、浴室全体の空気の流れを大きくして浴室の暖房効率が高くなる。また、入浴暖房では、洗い場にいる入浴者に直接風が当たることを防止しつつ浴室内部を暖めることが出来る。更に、入浴後の浴室の乾燥時或いは衣類の乾燥時にはルーバーのスウィングにより衣類や浴室の乾燥ムラを解消できる。
【００７３】
しかも、オート運転によって、入浴者がリモートコントローラ２０のオート運転を選択すれば、予備暖房から入浴暖房切換、更には、入浴後の浴室乾燥と２４時間換気の切換を全て自動的に行うことができるので、快適性が著しく向上することができる。
【００７４】
尚、吹出可変部であるルーバ２４、２５が可動となる方向は、図１（ｃ）のような「ハ」の字形状でなく、図１（ｄ）に示すように、ルーバ２４（２５）を同一方向に向くような形状にして、ステッピングモータ等の駆動手段により可動するようにして、入浴暖房時には浴槽の方向に向け、予備暖房時には、洗い場方向に向け、衣類乾燥時には、衣類に向けるか、上下または左右にスウィングするようにしてもよい。また、スライドシャッタや開度調整シャッタを設けて、吹き出し口の開口面積を変える構造により形成されてもよい。
【００７５】
図９は浴室Ｂｒの天井Ｒｆに浴室空調装置１が設置された状態を示す。建物の外壁には排気口が形成され、この排気口に浴室空調装置１から延びるダクトＤが接続されている。排気口にはフードＦｄが取り付けられており、ダクトＤの空気はフードＦｄから建物外部に排気される。Ｒｏ２は点検口であり、蓋板Ｃ１を開くと点検作業が出来るようになっている。浴室Ｂｒには戸Ｄｒのガラリから空気が入ることができ、浴室Ｂｒに入った空気は浴室空調装置１によって吸い込まれるようになっている。Ｂaは浴槽、Ｂｂは洗い場である。
【００７６】
図１０〜図１２は浴室空調装置１の他の実施例を示す。この実施例の浴室空調装置１００は図１０乃至図１２に示すように、筐体１０１内部の下部に循環ユニット１０２が設けられ、下部に換気ユニット１０３が設けられている。
【００７７】
循環ユニット１０２のファンケース１０４には浴室内空気の吸込口１０５が形成されている。また、循環ユニット１０２の下部には吸い込んだ空気を再度浴室内に戻す循環吹出口１０６が開口されている。循環ユニット１０２のファンケース１０４の内部には循環ファン１０７が配備されている。循環ファン１０７は制御装置Ｃによって制御されるモーターＭ２により駆動される。循環ファン１０７は、ファンケース１０４の吸込口１０５から空気を吸い込んで循環吹出口１０６から吸い込んだ空気を吹き出す。循環ユニット１０２には図示しないヒーターが設置されており、このヒーターによって吸い込んだ空気を暖めることが出来るようになっている。浴室空調装置１００の制御装置Ｃは、浴室空調装置１の制御装置Ｃと同様であり、リモートコントローラ２０のボタン操作に基づいて浴室空調装置１００の動作を制御する。
【００７８】
換気ユニット１０３は吸込口１１１と吸込口１１４〜１１６（図１１参照）のダクトジョイント１１４Ｄ、１１５Ｄを介して浴室Ｂｒ並びに他の部屋のダクトＤ２、Ｄ３に接続されている。吸込口１１６は遮蔽板１１６Ａにより閉ざされている。換気ユニット１０３に設置されたファンケース１０８には浴室内空気の吸込口１０９が形成されている。また、換気ユニット１０３の側壁部には吸い込んだ空気を建物の外部に排出する換気用吹出口１１７が開口され、この換気用吹出口１１７に取り付けられたダクトジョイント１１７Ｄには換気用のダクトＤが接続されている。
【００７９】
換気ユニット１０３のファンケース１０８の内部には換気ファン１１０が配備されている。換気ファン１１０は制御装置Ｃによって駆動制御されるモーターＭ１により駆動される。換気ファン１１０は、ファンケース１０８の吸込口１０９から空気を吸い込んで換気用吹出口１１７からダクトＤを介して建物外部に室内空気を吹き出す。換気ユニット１０３の吸込口１１１には吸込口１１１の開閉を行うための電動シャッター１１２が回転角度制御可能に設けられている。
【００８０】
換気ファン１１０と循環ファン１０７はそれぞれ独立したモーターＭ１，Ｍ２により駆動が可能となっており、換気ユニット１０３と循環ユニット１０２が別々のユニットにより構成されている。
【００８１】
換気ユニット１０３には、浴室の他に脱衣所やトイレ等の他室の空気を吸い込む吸込口１１１が設けられている。この吸込口１１１はダクトＤ２、Ｄ３（図９、図１１参照）を介して前記室内に連通していても良い。吸込口１１１の電動シャッター１１２は吸込み量を調整する。リモートコントローラ２０に設けられた換気スイッチが選択されるとモーターＭ１の駆動により、換気ファン１１０が回転して、他の部屋の吸込口１１４、１１５から吸い込まれた空気は吸込みダクトＤ２、Ｄ３を介して屋外へ排気される。
【００８２】
尚、浴室空調装置１００の２４時間換気スイッチは通常時において選択されており、浴室及びトイレ、脱衣所の吸い込み口から常時換気が行われている。また、循環ユニット１０２において、浴室内の空気を吸い込む吸込口１０５は、換気用吸込口と別に設けられており、ヒータ（図示省略）の通電制御により、浴室内への温風や涼風の送風を行うようになっている。
【００８３】
入浴前の予備暖房モードでは、モーターＭ２が駆動して循環ファン１０７が回転するともに、図示しないヒーターにより暖め為られた温風が吹出口１０６から浴室Ｂｒ内へ送風される。その際に吹出口１０６に、前述のスウィング制御可能なルーバーを設けた場合、当該制御装置Ｃは前記温風が洗い場の床面まで届くように吹き出し面積を狭めるように当該ルーバーの回動を制御する。
【００８４】
また、入浴暖房モードが選択されると、モーターＭ２が駆動して循環ファン１０７が回転するともに、予備暖房と同様に、図示しないヒーターにより暖められた温風が浴室Ｂｒ内へ送風されるが、吹き出し風量を小さくするようにモーターＭ２の回転数量が小さくなる。その際に風量を少なくすることと併せて、ヒーターの発熱量を小さくするように制御してもよい。
【００８５】
また、入浴暖房の時、前述のルーバーは、洗い場以外の方向に向くように制御される。予備暖房モード又は入浴暖房モードのときは、いずれも浴室内の空気の排気（換気）は行っていない。
【００８６】
２４時間換気モードが選択されている場合には、浴室空気を吸い込む吸込口１１１に設けた電動シャッター１１２が閉じられるため、浴室Ｂｒ内の空気の排気は行われないが、トイレや脱衣所等においてはそれぞれの空気が吸い込まれて排気されることにより、建物全体の換気は行われている。
【００８７】
また、衣類乾燥モードでは、モーターＭ１を回転させて換気ファン１１０によって浴室内の空気を戸外に排気しながら、モーターＭ２を回転させて循環ファン１０７によって浴室Ｂｒ内へ温風を送風すると共に、前述の揺動可能なルーバーを衣類に対して上下や左右にスウィングする。これによって、複数の衣類を乾燥させる場合には、ムラなく衣類を乾燥できる。
【符号の説明】
【００８８】
１  浴室空調装置
２  筐体
８  吹出口
９  吸込口
１０  ファンケース
１２  遠心ファン
１７  ダンパー
Ｃ    制御装置（マイクロプロセッサ）
Ｄ    排気用のダクト
２０  リモートコントローラ
２４、２５  ルーバー（吹出可変部）
５１  電流センサ
５２  温度センサ
５３  湿度センサ
５４  焦電センサ
Ｂ１  オートモードボタン
Ｂ２  予備暖房運転ボタン
Ｂ３  入浴暖房ボタン
Ｂ４  涼風ボタン
Ｂ５  衣類乾燥ボタン
Ｂ６  乾燥ボタン
Ｂ７  ２４時間換気ボタン
【図１】
2010117127.tif 000003
【図２】
2010117127.tif 000004
【図３】
2010117127.tif 000005
【図４】
2010117127.tif 000006
【図５】
2010117127.tif 000007
【図６】
2010117127.tif 000008
【図７】
2010117127.tif 000009
【図８】
2010117127.tif 000010
【図９】
2010117127.tif 000011
【図１０】
2010117127.tif 000012
【図１１】
2010117127.tif 000013
【図１２】
2010117127.tif 000014
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
温風を浴室内に吹き出す吹き出し口に、複数の羽根材からなるルーバーを角度変更可能に取り付け、
リモートコントローラに設けられた選択ボタンの選択操作モードに応じて、前記ルーバーを、狭められた角度と広げられた角度とに変更可能とし、前記ルーバーの角度の変更により、前記吹き出し口から浴室内に空気を絞って送風したり、空気を拡散して送風したりできるように構成したことを特徴とする浴室空調装置。
【請求項２】
請求項１に記載の浴室空調装置において、
前記ルーバーは、前記リモートコントローラの選択ボタンの選択操作に応じて、上下、左右の少なくとも何れかにスウィングするように構成したことを特徴とする浴室空調装置。
【手続補正２】
【補正対象書類名】明細書
【補正対象項目名】０００８
【補正方法】変更
【補正の内容】
【０００８】
上記課題を解決するために、本願の請求項１の浴室空調装置は、温風を浴室内に吹き出す吹き出し口に、複数の羽根材からなるルーバーを角度変更可能に取り付け、リモートコントローラに設けられた選択ボタンの選択操作モードに応じて、前記ルーバーを、狭められた角度と広げられた角度とに変更可能とし、前記ルーバーの角度の変更により、前記吹き出し口から浴室内に空気を絞って送風したり、空気を拡散して送風したりできるように構成したことを特徴とする。
また、本願の請求項２の浴室空調装置は、請求項１に記載の浴室空調装置において、前記ルーバーは、前記リモートコントローラの選択ボタンの選択操作に応じて、上下、左右の少なくとも何れかにスウィングするように構成したことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本願の請求項１の浴室空調装置によれば、温風を浴室内に吹き出す吹き出し口に、複数の羽根材からなるルーバーを角度変更可能に取り付け、リモートコントローラに設けられた選択ボタンの選択操作モードに応じて、前記ルーバーを、狭められた角度と広げられた角度とに変更可能とすることにより、前記ルーバーの角度の変更によって、前記吹き出し口から浴室内に空気を絞って送風したり、空気を拡散して送風したりできるようになる。
そして、空気を絞って送風することにより、空気を吹き出す圧力が増大して吹き出し口から遠い位置まで空気を届かせることができる。反対に、空気を拡散して送風することにより、広範囲に暖かい空気を送り出して浴室内を暖めることができる。
また、本願の請求項２の浴室空調装置は、請求項１に記載の浴室空調装置において、前記ルーバーを、前記リモートコントローラの選択ボタンの選択操作に応じて、上下、左右の少なくとも何れかにスウィングさせることができる。これによって、例えば、前記リモートコントローラの選択ボタンの選択操作モードが、浴室内の衣類を乾燥する衣類乾燥モードであるときに、一部の衣類のみが乾燥して他の衣類が乾かない等の不具合が解消され、ムラのない衣類乾燥を速やかに行うようにすることができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】